(57)【要約】【課題】  それぞれの操作手段に応じて、意図せぬモード変更を防ぎ、使いやすいタッチキーモードを選択できる情報処理装置を提供すること。【解決手段】  タッチパネルを備えた表示部と、タッチパネルに使用できるペンと、スイッチの状態に応じてタッチキーの大きさおよび表示内容を切り替えるタッチモード変更スイッチと、一又は複数の機能に対応するタッチキーを含む二つのタッチキーグループを記憶するタッチキーグループ記憶手段と、前記タッチキーグループ記憶手段に記憶された二つの前記タッチキーグループのうち前記タッチキーの大きさおよび表示内容を切り替えるスイッチに対応するタッチキーグループを選択して前記表示部に表示させるタッチパネル表示制御手段とをもち、前記タッチモード変更スイッチは人の指で押下不可で、且つ前記ペンにて押下可能となり、また前期タッチキーグループのうちタッチペンに対応したグループ側の表示部にタッチモード切替用タッチキーを表示することを特徴とする構成とした。【選択図】  図２
2015184938.tif 000002
【特許請求の範囲】
【請求項１】
タッチパネルを備えた表示部と、タッチパネルに使用できるペンと、スイッチの状態に応じてタッチキーの大きさおよび表示内容を切り替えるタッチモード変更スイッチと、一又は複数の機能に対応するタッチキーを含む二つのタッチキーグループを記憶するタッチキーグループ記憶手段と、
前記タッチキーグループ記憶手段に記憶された二つの前記タッチキーグループのうち前記タッチキーの大きさおよび表示内容を切り替えるスイッチに対応するタッチキーグループを選択して前記表示部に表示させるタッチパネル表示制御手段とをもち、
前記タッチモード変更スイッチは人の指で押下不可で、且つ前記ペンにて押下可能となることを特徴とする情報処理装置。
【請求項２】
前記タッチキーグループのうちタッチペンに対応したグループ側の表示部にタッチモード切替用タッチキーを表示することを特徴とする請求項１に記載の情報処理装置。
【請求項３】
上記タッチモード変更スイッチは、前記ペンの先端径をＡ、スイッチ押下げ部開口径をＢ，指先の径をＣとすると、大きさがＡ＜Ｂ＜＜Ｃとなっていることを特徴とする請求項１又は請求項２に記載の情報処理装置。
【請求項４】
前記ペンは情報処理装置本体に内蔵されていることを特徴とする請求項１に記載の情報処理装置。
【請求項５】
前記情報処理装置は表示部がＯＦＦすると指での動作に対応したタッチパネルモードとなることを特徴とする請求項１乃至請求項４の何れか一項に記載の情報処理装置。
【発明の詳細な説明】
【技術分野】
【０００１】
本発明は、情報処理装置、撮像装置に関し、特に表示装置のタッチパネル及びタッチペンの操作に関するものである。
【背景技術】
【０００２】
従来、情報処理装置で表示部をもつ製品において、感覚的に装置を扱う手段としてタッチパネルが広く採用されている。
【０００３】
その中でも近年の小型化、高情報化に伴い、画面上への表示が増え、手でタッチだけで対応しにくい為、スタイラスと呼ばれるタッチペンを用いてタッチパネルの操作を行う機器が増えてきている。
【０００４】
上記のように、タッチパネルを手とタッチペンの双方で扱うような機器に関して、細かい表示の際にタッチペンを使う場合、例えば、特許文献１ではタッチペンを内蔵しておき、それが外れるとタッチペンに応じた表示になるタッチパネルモードを備えた情報処理装置が開示されている。
【先行技術文献】
【特許文献】
【０００５】
【特許文献１】特開２００９−１７５７８０号公報
【発明の概要】
【発明が解決しようとする課題】
【０００６】
しかしながら、上述の特許文献に開示された従来技術では、たとえば付属のタッチペンをなくしてしまった場合でも、常にタッチペンモードとなってしまい、指先では非常に使用しづらい。また、別のペンで操作したい際もとりはずさないとタッチペンモードにならないという問題がある。
【０００７】
そこで、本発明の目的は、それぞれの操作手段に応じて、意図せぬモード変更を防ぎ、使いやすいタッチキーモードを選択できる情報処理装置を提供することである。
【課題を解決するための手段】
【０００８】
上記目的を達成するために、本発明は、タッチパネルを備えた表示部と、タッチパネルに使用できるペンと、スイッチの状態に応じてタッチキーの大きさおよび表示内容を切り替えるタッチモード変更スイッチと、一又は複数の機能に対応するタッチキーを含む二つのタッチキーグループを記憶するタッチキーグループ記憶手段と、
前記タッチキーグループ記憶手段に記憶された二つの前記タッチキーグループのうち前記タッチペン切替スイッチに対応するタッチキーグループを選択して前記タッチパネルに表示させるタッチパネル表示制御手段とをもち、
前記タッチモード変更スイッチは人の指で押下不可で、且つ前記ペンにて押下可能となり、また前期タッチキーグループのうちタッチペンに対応したグループ側の表示部にタッチモード切替用タッチキーを表示することを特徴とする。
【発明の効果】
【０００９】
本発明によれば、タッチパネルを手とタッチペンの双方で扱うような機器において、意図せぬモード変更を防ぎ、その双方に合わせて、たとえばタッチペンをなくしたりした際にも使いやすいタッチパネルを提供することができる。
【図面の簡単な説明】
【００１０】
【図１】本発明の実施形態にかかわるブロック図
【図２】本発明の実施形態にかかわる指タッチモード状態での情報処理装置の表示部
【図３】本発明の実施形態にかかわるタッチペンモード状態での情報処理装置の表示部
【図４】本発明の実施形態にかかわる指タッチモード状態でのタッチキー部断面図
【図５】本発明の実施形態にかかわるタッチペンモード状態でのタッチキー部断面図
【図６】本発明の実施形態にかかわるタッチペンモード状態での情報処理装置の表示部の別の形態
【図７】本発明の実施形態にかかわるフローチャート
【発明を実施するための形態】
【００１１】
以下に、本発明の好ましい実施の形態を、添付の図面に基づいて詳細に説明する。
【００１２】
画像表示装置１００は、図１に示すように、画像撮像部２、画像処理部３、圧縮伸張処理部４、表示部１０２、記録再生処理部６、カード制御部７、メモリ１１、メモリ制御部１２、ＣＰＵ１３、操作部１４、タッチパネル部１５、タッチモード切替部１０４、入出力部１６、電源制御部１７を備えている。
【００１３】
また、各機能ブロックはそれぞれデータバス１８を介して互いにデータ通信可能に接続されている。
【００１４】
このような画像表示装置１００において、メモリ１１は、プログラム記憶領域とデータ作業領域を有し、データバス１８を介して各機能ブロックでタイム・シェアリングして使用され、メモリ制御部１２により制御及び管理されている。
【００１５】
ＣＰＵ１３は所定のプログラムを実行すること等により、画像表示装置１００全体を統括制御する中央演算処理回路である。
【００１６】
操作部１４はユーザーからのキー操作などに基づいて、ＣＰＵ１３に対して動作指示する機能を有する。
【００１７】
メモリーカード１９は、ＳＤカードやコンパクトフラッシュ(登録商標）等の脱着式のフラッシュメモリーであり、撮影データ及等が記録される。
【００１８】
電源制御部１７は、バッテリ検出回路、ＤＣ−ＤＣコンバータ、通電するブロックを切り替えるスイッチ回路等により構成されており、電池の装着の有無、電池の種類、電池残量の検出を行う。バッテリ２３は、リチウムイオン電池等であり、画像表示装置１００に電源を供給する。
【００１９】
タッチパネル部１５は、指やペン等からのタッチを検知して信号をデータバス１８を介してＣＰＵ１３等に伝える。
【００２０】
次に、本発明の第１の実施形態における画像表示装置１００の撮影動作及び記録動作、再生動作について説明する。
【００２１】
例えば、操作部１４により撮影動作及び記録動作が指示された場合、画像撮像部２は入力光学信号を電気信号に変換し、画像処理部３に出力する。画像処理部３はこの電気信号をデジタル画像信号に変換する。そして、この画像信号に対して、色分離、階調補正、及びホワイトバランス調整などの信号処理を施した後出力する。
【００２２】
圧縮伸張処理部４は、画像処理部１０３から出力された画像データを所定の圧縮符号化方式により圧縮符号化する。表示部１０２は、圧縮伸張処理部４で圧縮符号化対象の撮影データを表示する。また、表示部１０２は、必要に応じて画像表示装置１００の動作状況をオンスクリーン・ディスプレイ情報として表示する。
【００２３】
記録再生処理部６は、圧縮伸張処理部４で得られた圧縮符号化後のデータに対して、エラー訂正符号化処理や変調処理等を施し、更に同期、ＩＤ，などのデータを付加して記録に適した形態に変換した後、メモリーカード１９等の記録媒体に記録する。カード制御部７はメモリーカード１９の記録制御をおこなう。
【００２４】
一方、操作部１４により再生動作が指示された場合、記録再生処理部６は、メモリーカード１９等から読み出したデータから元のデジタルデータを検出し、エラー訂正及び復調等の処理を施す。また、ＰＬＬ回路によりこの再生データに同期したクロックを生成する。圧縮伸張処理部４は、記録再生処理部６より出力されたデータに対して、所定の圧縮符号化方式に対応した伸張処理を施し、圧縮符号化前の撮影データ及び音声データを取得する。表示部１０２は、圧縮伸張処理部４で得られた再生データを表示する。
【００２５】
また操作部１４により、入出力部１６からの入力信号を記録する指示があった場合、ＣＰＵ１３は入出力部１６を制御し、外部装置２２から出力された画像、音声信号を入力する。入出力部１６は外部装置２２から出力された画像、音声信号をデジタルデータに変換してメモリ１１に出力する。
【００２６】
ＣＰＵ１３はこのメモリ１１に記憶された画像、音声データを圧縮伸張処理部４に出力して圧縮符号化し、記録再生処理部６に送る。記録再生処理部６は前述の様にこの符号化されたデータに対して記録に必要な処理を施してメモリーカード１９等の記録媒体に記録する。またタッチモード切替部１０４に操作者によって切り替えが指示された場合、ＣＰＵ１３は表示部１０２及びタッチパネル部１５を制御し、その表示及び検知範囲を切り替える。
【００２７】
図２、３は、本発明の実施形態にかかわる情報処理装置における表示装置部を示した図である。図２は、指タッチモード状態での情報処理装置の表示部を示している。情報処理装置における画像表示装置１００には、本体外周部１０１、画像等を表示する表示部１０２を備える。表示部１０２には指タッチ用タッチキーグループ１０３が表示画像に重なって表示されており、各々のタッチキーをタッチすることによりそれぞれのキーに割り当てられた機能及び動作が実行される。また、指タッチ用タッチキーグループ１０３は表示部１０２の左右に配置され、操作者の指１０５によって押しやすいサイズ及び配置となっている。
【００２８】
表示部近傍にはタッチモード変更スイッチ１０４が配置され、タッチモード変更スイッチ１０４を押下することにより、指タッチ用のタッチキーグループ１０３と、図３に示すようなタッチペンモード状態でのペン用タッチキーグループ１１０とを切り替えることができる。このとき、ペン用のタッチキーグループ１１０は、指タッチ用のタッチキーグループ１０３よりも小さいアイコンで、より細かい情報を表示し、指ではタッチしにくいがペン先ではタッチ可能なサイズである。
【００２９】
タッチモード変更スイッチ１０４の詳細断面図を図４、５に示す。本体外周部１０１には、タッチモード変更スイッチ１０４上方に開けられた本体外周穴部１０１ａ、及びスイッチ周辺押下時の静圧受けリブ１０１ｂが設けられている。スイッチ１０４はステム部１０４ａ及びスイッチ本体部１０４ｂからなり、基板１２２に実装されている。ステム部１０４ａが押下げられることにより、タッチモード変更スイッチ１０４がＯＮする構造となっている。
【００３０】
図４のように、タッチペン１１１にてタッチモード変更スイッチ１０４を押す場合、タッチペン１１１のペン先部１１２が穴部１０１ａを抜けてステム部１０４ａを押下することにより、指タッチ用のタッチキーグループ１０３と、図２のペン用のタッチキーグループ１１０とを切り替えることができる。この際、本体外周部１０１の穴部１０１ａの穴径Ｂは、タッチペン１１１のペン先部１１２のペン先径Ａよりも大きい。
【００３１】
また、図５のように指部１０５にてタッチモード変更スイッチ１０４を押そうとすると、指部１０５の先端サイズＣよりも本体外周部１０１の穴部１０１ａの穴径Ｂが十分小さいことにより、指先１０５にて不用意にタッチモード変更スイッチ１０４を押すことがなく、指タッチ用のタッチキーグループ１０３がペン用のタッチキーグループ１１０に変わることがない。すなわち、ペン先部１１２のペン先径Ａ、穴部１０１ａの穴径Ｂ、指部１０５の先端サイズＣとの関係はＡ＜Ｂ＜＜Ｃとなることにより意図しないモード変更を防ぐことができる。
【００３２】
上記実施形に加え、図６に示すように、ペン用のタッチキーグループ１１０の一部に、指タッチモード復帰スイッチ１３０を追加してもよい。指タッチモード復帰スイッチ１３０を追加することにより、例えばタッチペン１１１を途中なくしてしまったり、どこかに置いてきた際も指タッチ用のタッチキーグループ１０３に復帰することが可能となる。
【００３３】
図７は、タッチキーの動作に関するフローチャートである。スタート後、まずはステップＳ１にて指タッチ用のタッチキーグループを表示する。さらにステップＳ２にて、タッチモード変更スイッチを検知したかどうかを判断し、検知してない場合はＳ１へ戻り、再度ステップを繰り返す。タッチモード変更スイッチ検知した場合にはステップＳ３のタッチペン用のタッチキーグループを表示する。その後Ｓ４のタッチモード変更スイッチを検知したかどうかを再度確認し、検知した場合にはステップ１の指タッチ用のタッチキーグループを表示する。検知しなかった場合には、ステップＳ５の指タッチ復帰スイッチを検知したかどうかに進み、検知していない場合にはステップＳ３のタッチペン用のタッチキーグループを表示する。検知した場合にはステップ１の指タッチ用のタッチキーグループを表示する。加えて、表示部１０２の表示がＯＦＦになると、指タッチ用のタッチキーグループを表示し、ステップを繰り返す。これらを表示装置起動中は繰り返すことにより、意図せぬモード変更を防ぎながら指とタッチペン双方で使いやすい表示装置を提供することができる。
【００３４】
以上、本発明の好ましい実施形態について説明したが、本発明はこれらの実施形態に限定されず、その要旨の範囲内で種々の変形及び変更が可能である。
【符号の説明】
【００３５】
１００‥‥画像表示装置
１０１‥‥本体外周部
１０１ａ‥‥本体外周穴部
１０１ｂ‥‥静圧受けリブ
１０２‥‥表示部
１０３‥‥指タッチ用タッチキーグループ
１０４‥‥タッチモード変更スイッチ
１０４ａ‥‥ステム部
１０４ｂ‥‥スイッチ本体部
１０５‥‥指
１１０‥‥ペン用タッチキーグループ
１１１‥‥タッチペン
１１２‥‥ペン先部
１３０‥‥指タッチモード復帰スイッチ
【図１】
2015184938.tif 000003
【図２】
2015184938.tif 000004
【図３】
2015184938.tif 000005
【図４】
2015184938.tif 000006
【図５】
2015184938.tif 000007
【図６】
2015184938.tif 000008
【図７】
2015184938.tif 000009